(57)【要約】【課題】    本発明は、長さの異なる、棒状タイプのもの、あるいは棒状やステイック状を一部に有するものをまとめて整理する、棒体整理容器に関するものである。【解決手段】    任意の収納物の長さに対応させて、高低差のある開口部を有する容器本体と、前記開口部に設けられた複数の凸状の転がりストッパーと、前記容器本体底面の中央付近に設けられた中央突起部とよりなる。【選択図】    図１
2007111449.tif 000002
【特許請求の範囲】
【請求項１】
任意の収納物の長さに対応させて、高低差のある開口部を有する容器本体と、前記開口部に設けられた複数の凸状の転がりストッパーと、前記容器本体底面の中央付近に設けられた中央突起部とよりなる、棒体整理容器。
【請求項２】
底面に水はけ穴を設けたことを特徴とする、請求項１記載の棒体整理容器。
【発明の詳細な説明】
【技術分野】
【０００１】    本発明は、長さの異なる、棒状タイプのもの、あるいは棒状やステイック状を一部に有するものをまとめて整理する、棒体整理容器に関するものである。
【背景技術】
【０００２】    壁一周が同じ高さの鉛筆立て、箸立てがある。棒状個所を有する調理器具の整理方法として、従来、引っかけ具に吊す、又は引き出しに終う等の方法等がある。
【発明の開示】
【発明が解決しようとする課題】
【０００３】    そのために次のような問題点があった。
（イ）鉛筆立て内で短い鉛筆が倒れ、傷が着きやすかった。
（ロ）容器内において長短を混ぜて収納した場合、他より短いものや縁より短いものは、見つけにくく取り出しにくかった。
（ハ）中に入れた棒体が倒れないようにするために、中央にストッパーを設けたものは狭く見にくく取り出しにくかった。底面を広くすれば棒体は倒れ易かった。
（ニ）壁一周が同じ高さなので間口が狭く取り出しにくかった。
（ホ）長さに差のある器具や形状の異なるものは、同じ容器にはまとめにくかった。
（ヘ）水気が僅かにあれば、引き出し等の密閉個所にしまうと黴が発生し易かった。
【課題を解決するための手段】
【０００４】    任意の収納物の長さに対応させて、高低差のある開口部を有する容器本体と、前記開口部に設けられた複数の凸状の転がりストッパーと、前記容器本体底面の中央付近に設けられた中央突起部とよりなる。
【発明の効果】
【０００５】    大きさや形の異なるものが、同じ容器に区別して入れられまとめられ見やすくなった。
開口部が斜めであるために間口が広がり、見やすく取り出し易くなった。
縁に転がりストッパーがあるので、それぞれ独立して立てられて、見やすく取り出しやすく、倒れにくくなった。
中央突起部があるので、底面に倒れるような短い鉛筆でも立てておくことが出来るようになった。
中央突起部があるので、収納した棒体が底で交叉したり一部が隠れたりすることもなく、分離して陳列されるようになった。
水はけ穴を設けることで、いちいち水分を完全にふき取らなくてもよくなった。
【発明を実施するための最良の形態】
【０００６】    以下、本発明の実施の形態について説明する。
円盤状の底面部（５）とそれに対し垂直方向の壁部を有する容器があり、この壁部は前部を低く後部を高くし、この前後を自然に繋いだ形状とする。該壁部の縁に玉を設けることで凸状にし、それを転がりストッパーとした、第１の形態を、図１〜図４を用いて説明する。使用対象は筆記具や箸である。
図１は六面体で、ａは正面図、ｂは平面図、ｃは背面図、ｄは底面図、ｅは右側面図、ｆは左側面図である。壁部の前部（１）側を低く後部（６）側を高く設け開口部を傾斜状にし、縁（３）に任意の間隔で鉛筆等の転がりを押さえることが出来る大きさで、玉状の転がりストッパー（２）を設ける。中央に柱状の中央突起部（４）を設けるが、鉛筆等の収納する対象物の太さ以上の太さで、前部側の高さを越え、後部側の高さに近く操作する時に邪魔にならない範囲の高さまでとする。ここでは左右側部側中央位置の転がりストッパーの高さに合わせた。尚、当中央突起部の高さについては以下共通するので、特記事項のない限り省略する。
使い方は、図２のＡ−Ａ′断面図、図３のＢ−Ｂ′断面図で示す。図２ａの状態にｂで後部側に筆記具（７）を差し込んでいるが、鉛筆の場合、削った側を、転がりストッパーの間に降ろし、反対の掴む側を後部と中央突起部の間に差し込む。また図３ではａの状態に、ｂで一端を転がりストッパーの間に降ろし、かつ、前部側に短かめの、後部側に長めの、中間部側にその中間の長さの筆記具の他端を差し込んでいる。底面部の直径に満たない短い鉛筆も、中央突起部があるために立たせられ、外側からよく見える状態に整理出来る。当容器を移動させる場合には外側から掴む。
図４は中央突起部の形状や位置を変えた例の断面図である。ここでは、短い物をより固定し易くする目的で、前部側に近づけたものである。
尚、短いものを前部側、長いものを後部側に差し込むという使い方は共通するので、特記事項のない限り、以下を省略する。【０００７】    円盤状の底面部（５）とそれに対し上広がりの壁部を有する容器があり、この壁部は前部を低く後部を高くし、この前後を自然に繋いだ形状とする。壁部の縁を波状にすることで凸部を設け、それを転がりストッパーとした、第２の形態を、図５〜図８を用いて説明する。使用対象は筆記具や箸である。
図５は六面体で、ａは正面図、ｂは平面図、ｃは背面図、ｄは底面図、ｅは右側面図、ｆは左側面図である。底面部に対して前部（１）側を低く後部（６）側を高く設け開口部を傾斜状にし、縁（３）に任意の間隔で鉛筆等の転がりを押さえることが出来る大きさで、波状の転がりストッパー（２）を設ける。中央に柱状の中央突起部（４）を設ける。中央突起部は取っても兼ねるので、掴みやすい形状にする方がよく、ここでは上端側を少し太くし、中に指を差し込める穴（８）を設けた。
使い方は、図６のＡ−Ａ′断面図、図７のＢ−Ｂ′断面図で示す。図６ａの状態に、ｂで後部側に筆記具（７）を差し込んでいるが、鉛筆の場合、削った側を転がりストッパーの間に降ろし、掴む側を後部側と中央突起部の間に差し込む。また図７ではａの状態に、ｂで前部側に短かめの、後部側に長めの、中間部側にその中間の長さの筆記具を差し込んでいる。移動するような場合は、外側から掴むか、中央突起部の上部を掴む。この時、穴に指を入れてもよい。
図８は、中央突起部の上端に皿部（９）を設けた場合の、ａは平面図、ｂはＡ−Ａ′断面図である。ここにはクリップや消しゴムなどの小物を入れる。【０００８】    底に水はけ穴を有する形態について説明する。この大きさは収容する対象物が入り込むことがなく、水はけに支障のない大きさとし、数については大きさとの兼ね合いで決まる。また水はけ穴の入り口に向け底面が少し下がる方がよい等々、これらを以下の水はけ穴を有する形態に関して同様とし、特記のない場合は以下を省略する。ここでは底面の中央突起部の四方に１個ずつ設けた。
容器形態は図１と類似し、水はけ穴を設けた第３の形態を、図９〜図１１を用いて説明する。使用対象は調理器具や箸である。
図９は六面体で、ａは正面図、ｂは平面図、ｃは背面図、ｄは底面図、ｅは右側面図、ｆは左側面図である。底面部（５）に対して前部（１）側を低く後部（６）側を高く設けて開口部を斜めにし、縁（３）に任意の間隔で玉状の転がりストッパー（２）を設ける。中央に柱状の中央突起部（４）を設け、底面部に水はけ穴（１０）を設ける。
使い方は図１０Ａ−Ａ′断面図、図１１のＢ−Ｂ′断面図で示す。図１０ａの状態に、ｂで後部側に調理器具（１３）を差し込んでいるが、この取って個所（１２）を転がりストッパー間に降ろし、作用側（１１）を後部側と中央突起部の間に差し込む。図１１では、前部側に短めの、後部側に長めの、中間部側にその中間の長さの調理器具を差し込んでいる。容器の固定の方法として排水分を受け止められるように、当図のように布巾（１４）を敷いた方がよりよい。これは以下同様とし、説明を省略する。当容器を移動する場合は、前記図１の場合と同様に外側から掴む。【０００９】    容器形態は図５と類似し、底面部に水はけ穴を前後に１個ずつ設けた第４の形態を、図１２を用いて説明する。使用対象は調理器具や箸である。
三面体を示し、ａは正面図、ｂは平面図、ｃは背面図である。底面部（５）対して前部（１）側を低く後部（６）側を高く設け開口部を斜めにし、縁（３）に任意の間隔で波状の転がりストッパー（２）を設ける。中央に柱状の中央突起部（４）を設ける。この中央突起部の前後に水はけ穴（１０）を設ける。
使い方は、図１０、図１１に準じる。【００１０】    楕円状の底面部（５）と上広がりの壁部を有する容器があり、この壁部の縁を波状にすることで凸部を設け、それを転がりストッパーとし、底面部に水はけ穴を設け、かつ中央突起部が前部側から、後部近くまで繋がって設けられている第５の形態を、図１３〜図１７を用いて説明する。使用対象は調理器具である。
図１３は六面体で、ａは正面図、ｂは平面図、ｃは背面図、ｄは底面図、ｅは右側面図、ｆは左側面図である。スワンに見立てたもので、前部（１）側を、スワンの首部以外は低く後部（６）側を高く設けて開口部を斜めにし、縁（３）に任意の間隔で羽に見立てた波状の転がりストッパー（２）を設ける。ここでは前部側の中心部を首形状にするため、前部側中心部には設けない。この削除部分は首の太さや壁の厚みとの兼ね合いで決定される。中央突起部（４）の形状は、図１４のＡ−Ａ′断面図で示すが、後部近くは低くスワンの首部を形成する前部側は高く、なだらかな傾斜を有して繋がっている。底面部の中央突起部のきれた個所に水はけ穴（１０）を設ける。図１５はＢ−Ｂ′断面図、図１６はＣ−Ｃ′断面図である。
使い方は、図１７で示す。後部側に調理器具（１３）の取って個所（１２）を転がりストッパーの間に降ろし、作用個所（１１）を後部側と中央突起部の間に差し込む。首部を避けた前部側と中央突起部の間には短い調理器具を差し込む。当容器を移動させるような場合は外側から両手で持つか、中央突起部の首部を掴む。【００１１】    図１８〜図２０を用いて、底面部が円や楕円以外の多角形の場合を付け加える。
図１８は三角形の場合の斜視図で、一角部を削って左右に凸部が生じさせた例である。
図１９は四角形の場合の斜視図で、二平面側のみに凸部を設けた例である。
図２０は五角形の場合の正面側からの斜視図で、後部面に指を差し込める穴（８）を設けた例である。
以上の３タイプに水はけ穴を設けることは可能で、設け方は前記に準じる。
その他、布巾について付け加えると、水はけ穴の出口が当容器を載せた台の面と密着しないように容器の底を上げた加工をおこなった場合、布巾は不要となる。【００１２】    これまで筆記具や調理器具を対象物として上げて説明してきたが、野菜ステイックや切り花についても応用可能となることを付け加える。
野菜スティックの場合については、既存するものはなくコップ類を代用しているが、当容器を使用することで、数が少なくても倒れずに収納出来、多くても同じ長さであってもよく見え、取り出しやすくなる。切り花はバケツに入れられて展示販売されているが、当容器を使用すれば、三方からよく見え、取り出しやすくなる。他に切り花を先に美しく盛りその形状のまま遠くへ送ることが軽量で出来るようにするために、風船のように空気を内包することで、容器として成形出来る形態の場合もあり、これは全体を柔軟なシートを使い二重で作成する。空気注排出手段を有してもよい。
【図面の簡単な説明】
【００１３】
【図１】    本発明の六面体である。
【図２】    本発明のＡ−Ａ′断面図である。
【図３】    本発明のＢ−Ｂ′断面図である。
【図４】    本発明の断面図である。
【図５】    本発明の六面体である。
【図６】    本発明のＡ−Ａ′断面図である。
【図７】    本発明のＢ−Ｂ′断面図である。
【図８】    本発明の平面図と断面図である。
【図９】    本発明の六面体である。
【図１０】    本発明のＡ−Ａ′断面図である。
【図１１】    本発明のＢ−Ｂ′断面図である。
【図１２】    本発明の三面体である。
【図１３】    本発明の六面体である。
【図１４】    本発明のＡ−Ａ′断面図である。
【図１５】    本発明のＢ−Ｂ′断面図である。
【図１６】    本発明のＣ−Ｃ′断面図である。
【図１７】    本発明の使用分解図である。
【図１８】    本発明の斜視図である。
【図１９】    本発明の斜視図である。
【図２０】    本発明の斜視図である。
【符号の説明】
【００１４】    １  前部            ２  転がりストッパー      ３  縁
４  中央突起部      ５  底面部                ６  後部
７  筆記具          ８  穴                    ９  皿部
１０  水はけ穴      １１  作用個所            １２  取って個所
１３  調理器具      １４  布巾
【図１】
2007111449.tif 000003
【図２】
2007111449.tif 000004
【図３】
2007111449.tif 000005
【図４】
2007111449.tif 000006
【図５】
2007111449.tif 000007
【図６】
2007111449.tif 000008
【図７】
2007111449.tif 000009
【図８】
2007111449.tif 000010
【図９】
2007111449.tif 000011
【図１０】
2007111449.tif 000012
【図１１】
2007111449.tif 000013
【図１２】
2007111449.tif 000014
【図１３】
2007111449.tif 000015
【図１４】
2007111449.tif 000016
【図１５】
2007111449.tif 000017
【図１６】
2007111449.tif 000018
【図１７】
2007111449.tif 000019
【図１８】
2007111449.tif 000020
【図１９】
2007111449.tif 000021
【図２０】
2007111449.tif 000022